(57)【特許請求の範囲】
【請求項１】
データ・イネーブル信号によるデジタル表示信号に基づいてフルフレームサイズを測定するための方法であって、前記デジタル表示信号はｍ個の表示ビットを有する原色信号を含んでおり、
前記データ・イネーブル信号を提供するステップと、
前記データ・イネーブル信号を原色信号のｎ番目のビットの代わりに用いることにより、代用表示信号を提供するステップと、
前記代用表示信号に基づいてフルフレームサイズを測定するステップとを含み、ｎはｍより大きくなく、ｍおよびｎは０より大きい整数である方法。
【請求項２】
原色信号が赤色信号である、請求項１に記載の方法。
【請求項３】
原色信号が緑色信号である、請求項１に記載の方法。
【請求項４】
原色信号が青色信号である、請求項１に記載の方法。
【請求項５】
ｍが８に設定されている、請求項１に記載の方法。
【請求項６】
ｎが８に設定されている、請求項１に記載の方法。
【請求項７】
ｍが６に設定されている、請求項１に記載の方法。
【請求項８】
ｎが６に設定されている、請求項１に記載の方法。
【請求項９】
データ・イネーブル信号によるデジタル表示信号に基づいてフルフレームサイズを測定するための装置であって、前記デジタル表示信号はｍ個の表示ビットを有する原色信号を含んでおり、
ｍ個の入力端子と１個の制御信号出力端子とを含んでおり、前記ｍ個の入力端子を前記ｍ個の表示ビットに連結することが可能であり、前記制御信号出力端子を介して制御信号を出力する、タイミング制御装置と、
前記タイミング制御装置とデータ・イネーブル信号と原色信号のｎ番目のビットとに連結されたマルチプレクシング装置であって、前記データ・イネーブル信号と前記原色信号のｎ番目のビットとのいずれかを選択して前記タイミング制御装置のｍ個の入力端子のうちのｎ番目の入力端子へ制御信号を印加するマルチプレクシング装置とからなり、ｎはｍより大きくなく、ｍおよびｎは０より大きい整数である、
フルフレームサイズを測定するための装置。
【請求項１０】
タイミング制御装置がタイミング制御チップである、請求項９に記載の装置。
【請求項１１】
タイミング制御装置がＰＷ１６４−２０Ｒである、請求項１０に記載の装置。
【請求項１２】
原色信号が赤色信号である、請求項９に記載の装置。
【請求項１３】
原色信号が緑色信号である、請求項９に記載の装置。
【請求項１４】
原色信号が青色信号である、請求項９に記載の装置。
【請求項１５】
ｍが８に設定されている、請求項９に記載の装置。
【請求項１６】
ｎが８に設定されている、請求項９に記載の装置。
【請求項１７】
ｍが６に設定されている、請求項９に記載の装置。
【請求項１８】
ｎが６に設定されている、請求項９に記載の装置。
【発明の詳細な説明】
【０００１】
【発明の属する技術分野】
この出願は、２００１年１月５日に出願された台湾出願第０９０１００３１７号を参照として含む。
この発明は、概して、表示信号に基づいてフルフレームサイズを測定するための方法およびその装置に関し、さらに詳細にはデータ・イネーブル信号による表示信号に基づいてフルフレームサイズを測定するための方法およびその装置に関する。
【０００２】
【関連技術の説明】
表示特性を維持するために、ブラウン管（ＣＲＴ）や液晶表示（ＬＣＤ）モニターなどの表示モニターは、その表示モニターに印加された表示信号により指示されたフルフレームのサイズや位置を調整する必要がある。表示信号により指示された表示フレームを、表示モニターのスクリーン上の適切な位置に表示するために、表示モニターは、フルフレームサイズのような表示パラメータを決定しなければならない。従来の方法および装置が有する問題点を説明するために、次に表示モニターの電気回路構成、表示信号、およびフルフレームのサイズと位置の決定について説明する。
【０００３】
表示モニターの電気回路構成が、図１に示されている。表示モニターは、差分信号受信／復号装置１１０と比処理装置とを含む。表示モニターに付加された表示信号は、一般に、低電圧差分（ＬＶＤ）符号化信号である。ＬＶＤ符号化信号とは、三原色信号、水平同期信号Ｈｓ、垂直同期信号Ｖｓ、データ・イネーブル信号ＤＥ、および画素クロック信号ＣＫを含む信号を指す。図１において、ＬＶＤ符号化信号１０２は、Ｒｘ０−、Ｒｘ０＋、Ｒｘ１−、Ｒｘ１＋、Ｒｘ２−、Ｒｘ２＋、ＲｘＣ−、およびＲｘＣ＋により示された信号を含む。表示モニターはこれらの信号を処理する前にはデジタル信号だけしか表示できないので、表示モニターは、これらの信号をデジタル表示信号１０４に変換および復号するために、差分信号受信／復号装置１１０を使用する。ＬＶＤ符号化信号１０２を受信すると、差分信号受信／復号装置１１０は、このＬＶＤ符号化信号１０２をデジタル表示信号１０４（すなわち赤色（ＲＤ）、緑色（ＧＤ）、青色信号（ＢＤ）を含む三原色信号）、水平同期信号Ｈｓ、垂直同期信号Ｖｓ、データ・イネーブル信号ＤＥ、および画素クロックＣＫ等に変換および復号する。デジタル表示信号１０４が比処理装置１３０に印加されると、比処理装置１３０が位相調整または補間を行なうことにより、適切な出力ビデオ信号が得られる。位相調整または補間は、フルフレームサイズ測定の中心ではないので、それらについての説明は省略する。水平同期信号Ｈｓ、垂直同期信号Ｖｓ、データ・イネーブル信号ＤＥ、および画素クロック信号ＣＫを印加された表示モニターの作動については後述する。
【０００４】
水平同期信号Ｈｓ、垂直同期信号Ｖｓ、データ・イネーブル信号ＤＥ、および画素クロック信号ＣＫは、複数ユニットの周波数を有する。画素クロック信号ＣＫは、１秒当りに表示される画素数を示し、カラー表示する１個の画素とカラー表示する次の画素との間の間隔を決定する。フレームのデータを受信すると、表示モニターはフレームの画素の色を１本ずつ線で表示する。まず、最初の線の最初の画素が色を表示する。次に、最初の線の２番目の画素が色を表示する。このプロセスは、最初の線の最後の画素が色を表示するまで、同様に続けられる。その後に、次の線、たとえば２番目の線が同様に最初の画素から最後の画素まで色を表示する。同様に、最後の線の最後の画素が色を表示するまで、このプロセスが続く。人間の視覚システムは視覚の持続性を有しているため、スクリーン上のすべての画素は、必要とされるフレームを形成する。他のフレームを受け取ると、表示モニターは同じ方法でフレームを表示する。各線の最後の画素が色を表示した後、水平同期信号Ｈｓは、カラー表示する画素の走査を次の線の最初の画素から進めることが重要である。そのようにして、水平同期信号Ｈｓは、１秒間に色を表示する画素の横列数を決定する。さらに、最終縦列最終横列の画素が色を表示した後、垂直同期信号Ｖｓは、カラー表示する画素の走査を第１縦列第１横列の画素から進める。そのようにして、垂直同期信号Ｖｓは、１秒当りに表示されるフレームの数を決定する。人間の視覚システムは視覚の持続性を有しているため、閾値よりも速い速度で表示されたフレームは、たとえば映画のように対象の連続運動となる。表示モニターが異なるフレームを更新（リフレッシュ）する速度をリフレッシュレートと呼び、これは垂直同期信号Ｖｓの周波数である。一般的なコンピュータ表示システムのリフレッシュレートは６０Ｈｚ以上であり、すなわち表示モニターは１秒当り少なくとも６０フレームを表示する。下記において、水平同期信号Ｈｓ、垂直同期信号Ｖｓ、データ・イネーブル信号ＤＥ、および画素クロック信号ＣＫのタイミング関係を説明する。
【０００５】
図２では、水平同期信号Ｈｓ、垂直同期信号Ｖｓおよびデータ・イネーブル信号ＤＥのタイミング関係を説明する。例として１０２４ｘ７６８画素の解像度を取り上げる。この解像度のために、水平同期信号Ｈｓ、垂直同期信号Ｖｓ、および画素クロック信号ＣＫはそれぞれ４８．３６ｋＨｚ、６０Ｈｚ、および６５ＭＨｚであってよい。フレームの表示期間中、毎秒６０個のフレームが表示され、各フレームに７６８個の横列が存在するため、Ｖｓ信号はＨｓ信号の７６８サイクルの後にのみその状態を変更する。さらに、データ・イネーブル信号ＤＥは各横列の表示期間を決定する。各横列に対し、１０２４個の画素が表示されるべきである。したがって、データ・イネーブル信号ＤＥが有効になると、表示モニターは１０２４画素の色を表示する。画素クロック信号ＣＫは固定周波数を有しているため、図２Ｂに示したように、画素クロック信号ＣＫはそれに対応して、データ・イネーブル信号ＤＥの有効期間中に１０２４サイクル振動する。次にデジタル表示信号を画素クロック信号ＣＫを介してサンプリングすることにより、１０２４画素の色情報が得られ、サンプリングされた色情報はデータ・イネーブル信号ＤＥの有効期間中、１０２４画素に適用される。その結果、データ・イネーブル信号ＤＥはフルフレームサイズの幅を決定するのに利用できる。
【０００６】
図３は、さらに、表示領域が上記の信号にどのように関連するかを示している。図３に示された表示領域３００は、１０２４ｘ７６８画素のアレイを示している。表示領域３００における各画素の色は、デジタル表示信号を画素クロック信号ＣＫを介してサンプリングすることにより表示されるので、各横列の全ての画素は画素クロック信号ＣＫのパルス列の１０２４パルスに対応する。図３に示されているように、表示領域３００の各横列の長さは、データ・イネーブル信号ＤＥが有効であるときデータ・イネーブル信号ＤＥにより決定される。水平同期信号Ｈｓは表示領域３００の各横列の表示を決定するが、各横列の長さはＨｓ信号によっては決定されない。さらに、Ｈｓ信号が有効化される各期間の開始後および終了前に、Ｈｓ信号が表示領域３００に対応しない期間（すなわちＨｓ信号が表示信号３００の外側の画素がない領域と対応する期間）が存在し、これらの期間はそれぞれ一般にバックポーチおよびフロントポーチと呼ばれる。たとえば、表示領域３００の左側の点線で囲われた四角形は、Ｈｓ信号のバックポーチＢＰＨに対応する。表示領域３００の右側の点線で囲われた四角形は、Ｈｓ信号のフロントポーチＦＰＨに対応する。さらに、垂直同期信号Ｖｓもまた同様にフロントポーチおよびバックポーチを有する。表示領域３００の上側の点線で囲われた領域は、Ｖｓ信号が表示領域３００と対応しない期間に対応し、Ｖｓ信号のバックポーチＢＰＶと呼ばれる。表示領域３００の下側の点線で囲われた領域は、Ｖｓ信号の他の期間に対応し、Ｖｓ信号のフロントポーチＦＰＶと呼ばれる。「ポーチ」という言葉が、同期（ＨｓまたはＶｓ）信号が表示領域の外側の表示される画素がない領域に対応する期間を指示するものとして一般に使用されることが、さらに重要である。
【０００７】
表示信号により指示されたフレームをスクリーン上の適切な位置に表示するために、従来の表示モニターは、一般に、表示モニターに印加された表示信号によって指示されたフルフレームのサイズおよび位置を、表示信号と表示モニター内に設けられた表示信号設定とを比較して調整する。具体的にいえば、ＨｓおよびＶｓ信号の周波数および極性が、表示モニターに設けられた表示信号設定と比較される。もし表示信号の水平同期信号Ｈｓの周波数および極性が表示モニターに設けられた表示信号設定の１つと一致すると、表示モニターは、決定された表示信号設定用のフレーム調整データを用いて表示信号により指示されたフレームを調整し、それによってフレームを適切な位置に表示する。しかしながら、種々のビデオアダプタが市販されているため、もしビデオアダプタからの表示信号の周波数および極性が表示モニターに設けられた表示信号設定の１つと一致しても、表示信号のフロントポーチおよびバックポーチのためのタイミングが前記の一致した表示信号設定値のタイミングと異なる場合がある。この場合には、もし一致した表示信号設定値のためのフレーム調整データがフレーム調整に用いられると、不適切な調整が行なわれ、フレームをスクリーンの適切な位置に表示できず、その結果表示特性を低下させる。たとえば、フレームが領域からずれて表示されたり、画素の総数が正しくなかったりする。
【０００８】
上記の問題を解決するために、表示信号のフロントポーチおよびバックポーチのタイミングを正確に決定するための制御チップが開発されている。しかしながら、これらの制御チップは表示信号により指示されたフレームの最初および最後の画素に基づいてフロントポーチおよびバックポーチを決定する方法を用いており、この場合、フレームの最初および最後の画素は、黒以外の色を表示する。ノンフルサイズフレームまたは黒色を表示するフレームが制御チップに適用されると、フロントポーチおよびバックポーチのタイミングの決定は、予期しない結果をもたらすことがあり、その場合、黒色を表示するフレームは、コマンドモードの黒色スクリーンのように、赤色、緑色および青色を有していない。
【０００９】
【発明の概要】
従って、この発明の目的は、デジタル表示信号に基づいてフルフレームサイズを測定するための方法とそのための装置を提供することである。たとえ表示されるべき表示フレームが黒色フレームまたはノンフルフレームであっても、デジタル表示信号により指示された表示フレームのパターンに関係なく、フルフレームサイズを正確に測定することができる。
【００１０】
この発明は、データ・イネーブル信号によるデジタル表示信号に基づいてフルフレームサイズを測定する装置を提供することにより、上記の目的を達成する。この場合、デジタル表示信号は多数の表示ビットを有する原色信号を含む。この装置は、タイミング制御装置とマルチプレクシング装置とを含む。タイミング制御装置は、多数の入力端子と１個の制御信号出力端子とを有する。各入力端子は、原色信号の表示ビットに連結できる。タイミング制御装置は制御信号出力端子を介して制御信号を出力する。さらに、制御信号は表示調整を行なうべきかどうかを指示するために使用される。マルチプレクシング装置は、タイミング制御装置とデータ・イネーブル信号と原色信号のｎ番目のビットに連結されている。マルチプレクシング装置は、制御信号に基づいて、データ・イネーブル信号と原色信号のｎ番目のビットとのいずれかを選択してタイミング制御装置のｎ番目の入力端子に付加する。この場合、ｎはｍよりも大きくなく、ｎとｍは０よりも大きい整数である。
【００１１】
デジタル表示信号の実際のフレームを表示しなければならないとき、原色カラー表示ビットのｎ番目のビットが選択され、マルチプレクシング装置を介してタイミング制御装置に付加される。タイミング制御装置が表示調整を行なわねばならないとき、タイミング制御装置はデータ・イネーブル信号をマルチプレクシング装置に出力し、マルチプレクシング装置はそのデータ・イネーブル信号をタイミング制御装置に付加する。データ・イネーブル信号に基づいて、タイミング制御装置は、フルフレームのサイズおよび位置が得られるように、フロントポーチおよびバックポーチのような表示パラメータを決定する。表示調整の後、タイミング制御装置はデータ・イネーブル信号のロジック状態を変更して、タイミング制御装置の入力端子が元来の表示ビット配列を有する原色信号を受け取れるようにし、それによって表示調整に基づいて表示信号が指示したフレームが表示できる。
【００１２】
この発明によれば、データ・イネーブル信号による表示信号に基づいてフルフレームサイズを測定する方法が提供され、この場合、表示信号はｍ個の表示ビットを有する原色信号を含む。この方法は、つぎのステップを含む。最初に、データ・イネーブル信号が提供される。次に、このデータ・イネーブル信号を原色信号のｎ番目のビットの代わりに用いることにより、代用表示信号が提供される。最後に、データ・イネーブル信号に基づいてフルフレームサイズが測定される。この場合、ｎはｍより大きくなく、ｍおよびｎは０より大きい整数である。
【００１３】
上記のように、データ・イネーブル信号は原色信号の１個の表示ビットの代わりに用いられる。この発明によれば、表示パラメータを測定するために、データ・イネーブル信号を異なる方法で他の１個の表示ビットまたは多数の表示ビットの代わりに用いることができる。たとえば、データ・イネーブル信号を、前記原色信号の他の表示ビットまたは多数の表示ビットの代わりに用いることができ、また、タイミング制御装置に付加された他の原色信号の１個または多数の表示ビットの代わりに用いることができる。
【００１４】
この発明の他の目的、特徴および利点は、下記の好ましい実施形態から明らかになるであろう。ただし、これらの実施形態は、この発明を限定するものではない。説明は、添付図面を参照して行なう。
【００１５】
【発明の実施の形態】
この発明により表示信号に基づいてディスプレイフレームのサイズを測定するために、データ・イネーブル信号をデジタル表示信号の１個または多数の表示ビットの代わりに用い、この表示ビットの代用の後、このデジタル表示信号をディスプレイフレームのサイズを測定するためのタイミング制御装置に送る。データ・イネーブル信号は、表示されるべきフレームを指示するために水平同期信号が有効にされている期間にのみ有効にされるので、表示信号により指示されたフレームが全ブラックフレームまたはノンフルフレームに対応しても、表示ビットの代用の後、フルフレームサイズはディスプレイフレーム位置や解像度のような対応する表示パラメータとともに正確に測定できる。フルフレームサイズの測定により、表示信号のための表示調整を実施できる。フルフレームサイズの測定はいつでも実施できるが、表示ビットの代わりに用いたデジタル表示信号は、表示されるべき実際のイメージに対応しないということに留意すべきである。したがって、フルフレームサイズの測定によって表示の質が影響を受けないようにするために、表示ビット代用後の表示信号を、フルフレームサイズ測定およびディスプレイ調整を実施した後に、元の表示ビット配列に戻すべきである。したがって、実際には、ディスプレイ調整の前と後とに表示ビット代用と表示信号の回復とをそれぞれ行なうために、マルチプレクシング装置を用いて信号を切り換えることができる。
【００１６】
図４Ａは、この発明の好ましい実施形態によるフルフレームサイズ測定装置を示している。この装置は、マルチプレクシング装置４１０と、タイミング制御装置４３０とを含む。タイミング制御装置４３０は、入力ポートＲｉ、Ｇｉ、Ｂｉと制御信号端子ＣＴとを含む。入力ポートＲｉ、Ｇｉ、Ｂｉは、それぞれ三原色信号、すなわち赤色信号ＲＤ、緑色信号ＧＤ、青色信号ＢＤを受け取るために使用される。三原色信号がタイミング制御装置４３０に付加されると、タイミング制御装置４３０はフルフレームサイズ、ディスプレイフレーム位置、それらの信号用の前後ポーチのような表示のためのパラメータを決定できる。タイミング制御装置４３０は、ピクセルワークス（Ｐｉｘｅｌｗｏｒｋｓ）社製のＰＷ１６４−２０Ｒのようなタイミング制御チップであってよい。もし各原色信号をｍ個の表示ビットで表わすと、それに対応してタイミング制御装置４３０の各入力ポートにｍ個の入力端子を設ける必要があることに留意すべきである。例として２４ビットの表示信号を取り上げる。この信号の各原色信号、すなわち赤色信号ＲＤ、緑色信号ＧＤ、青色信号ＢＤは、それぞれ８表示ビットの原色データを有しているため、入力ポートＲｉ、Ｇｉ、Ｂｉは、対応する原色信号の８表示ビットに合わせた８個の入力端子を有している。表示ビットと入力端子との関係は、後に詳述する。さらに、表示信号の表示ビットの代わりにデータ・イネーブル信号を用いて、表示調整が終わった後に元の表示ビット配列を回復するために、マルチプレクシング装置４１０はタイミング制御装置４３０に連結されており、２つの信号、すなわちデータ・イネーブル信号と、このデータ・イネーブル信号が代用する表示信号のいくつかの表示ビットとの切り換えに使用される。この実施形態のデータ・イネーブル信号ＤＥと赤色信号の表示ビットとの切り換えを、図によって説明する。
【００１７】
図４Ｂは図４Ａの装置の構造を図示しており、表示ビットと入力端子との関係が詳細に示されている。赤色信号ＲＤは、８個の表示ビット、すなわちＲＤ０、ＲＤ１、……、ＲＤ７    からなる。同様に、緑色信号ＧＤは、８個の表示ビット、すなわちＧＤ０、ＧＤ１、……、ＧＤからなり、青色信号ＢＤは、８個の表示ビット、すなわちＢＤ０、ＢＤ２、……、ＢＤ７からなる。図４Ｂにおいて、各表示ビットは、対応する入力ポートの入力端子に連結されている。たとえば、表示ビットＲＤ６は入力ポートＲｉの入力端子Ｒｉ６に連結されており、表示ビットＧＤ７は入力ポートＧｉの入力端子Ｇｉ７に連結されている。図４Ｂに示した信号および入力端子に関して、データ・イネーブル信号ＤＥは、フルフレームサイズを測定するために、赤色信号ＲＤの最も高い表示ビットＲＤ７の代わりに用いられる。実際には、データ・イネーブル信号ＤＥは、表示パラメータを測定するために別の方法でほかの一個または多数の表示ビットの代わりに用いることができる。たとえば、データ・イネーブル信号ＤＥは、赤色信号ＲＤの他の表示ビットや、赤色信号ＲＤの多数の表示ビットや、他の原色信号の一個または多数の表示ビットの代わりに用いることができる。これらの例は、図４Ｂに示した実施形態に基づいて容易に得ることができるので、簡潔にするためにこれ以上の説明を省略する。
【００１８】
フルフレームサイズを測定するために、データ・イネーブル信号ＤＥと赤色信号の表示ビットとの切り換えが行なわれる。図４Ｂにおいて、表示信号がタイミング制御装置４３０に送られると、タイミング制御装置４３０は制御信号端子ＣＴを介して制御信号Ｃｔｒｌを出力する。制御信号Ｃｔｒｌは次にマルチプレクシング装置４１０のマルチプレクサ４１５に送られる。制御信号Ｃｔｒｌの論理状態、たとえば論理１状態に応答して、マルチプレクサ４１５は、選択的にスイッチＳＷ１を閉じて（入れて）スイッチＳＷ２を開き（切り）、その結果、データ・イネーブル信号ＤＥは赤色信号ＲＤの８番目の表示ビットすなわち表示ビットＲＤ７の代わりに用いられ、入力端子Ｒｉ７に送られる。その後、タイミング制御装置４３０は、フルフレームサイズや位置など測定するために、その計算機能を用いて前後ポーチのような表示パラメータの測定を開始する。このようにして、測定されたフルフレームサイズや位置により、タイミング制御装置４３０に連結された表示モジュール（図示せず）は、正確に表示信号に基づいてフレームを表示できる。データ・イネーブル信号ＤＥが入力端子Ｒｉ７に付加されると、たとえ表示信号が完全なブラックフレームまたはノンフルフレームを示していても、その表示信号により示された表示フレームのパターンにかかわりなく、フルフレームサイズが確定できることに留意すべきである。
【００１９】
表示調整の後、タイミング制御装置４３０は制御信号Ｃｔｒｌの論理状態を、たとえば論理１から論理０へ変えることができる。マルチプレクシング装置４１５は、次に、スイッチＳＷ１を開いて（切って）スイッチＳＷ２を閉じ（入れ）、その結果、赤色信号ＲＤの８番目の表示ビットすなわちＲＤ７が入力端子Ｒｉ７に入力される。このようにして、タイミング制御装置４３０は、表示信号の実際の表示ビットを受け取る。さらに、タイミング制御装置４３０は表示幾何学に基づいて調整を行なうので、表示信号によって示される像は、最適のサイズで最適位置に示される。このようにして最適な表示効果が得られる。
【００２０】
さらに、水平同期信号、垂直同期信号または極性信号のように、タイミング制御装置４３０への入力に変化が起こった場合、タイミング制御装置４３０は最適な表示特性を維持するために上記の表示パラメータの測定と表示調整を行なうことができる。
フルフレームサイズを測定するために、データ・イネーブル信号ＤＥは、１つの原色信号の最も高い表示ビット、たとえば表示ビットＲＤ７、ＧＤ７またはＢＤ７の代わりに用いられるのが好ましいことに留意すべきである。なぜならば、通常、最も高い表示ビットは、たとえば２４ビットまたは１８ビットカラー解像度のように異なるカラー解像度に用いられるビット数に関係なく使用されるが、低い方の表示ビットは、カラー解像度によっては放棄される場合があるからである。もしデータ・イネーブル信号ＤＥが最も高い表示ビットではない表示ビットの代わりに用いられると、表示信号が低いカラー解像度に用いられるにつれて、その表示ビットは使用されなくなる場合がある。したがって、ディスプレイが種々のカラー解像度をサポートできるように、データ・イネーブル信号ＤＥと最も高い表示ビットとを組み合わせるのが望ましい。上記の実施形態はカラー表示について説明したが、この発明は、発明の精神から逸脱することなくモノクローム表示にも適用できる。
【００２１】
上記のように、データ・イネーブル信号を介してフルフレームサイズを測定する方法および装置は、たとえ表示信号により指示されるイメージが全ブラックフレームまたはノンフルフレームに対応する場合であっても、この表示信号に基づいて正確にフルフレームサイズを測定することができ、したがって最適な表示特性を得ることができる。
好ましい実施形態によって例示しながら発明を説明してきたが、本発明がこれに限定されるものではないと解されるべきである。種々の変形ならびに類似の構成および手法を包含することが意図されているのであって、請求項は、これらの変形ならびに類似の構成および手法を包含するように最広義に解釈すべきである。
【図面の簡単な説明】
【図１】従来の表示における低電圧差分信号の処理を示すブロック線図である。
【図２Ａ】図１の差分信号受信／復元装置からの水平同期信号、垂直同期信号およびデータ・イネーブル信号の関係を示すタイミング線図である。
【図２Ｂ】図２Ａのデータ・イネーブル信号と画素クロック信号との関係を示すタイミング線図である。
【図３】表示領域と種々の信号との関係を示す。
【図４Ａ】この発明の好ましい実施形態によるフルフレームサイズを測定するための装置のブロック線図である。
【図４Ｂ】図４Ａに示した装置の構造を示す。
【図１】
0003631462.tif 000002
【図２Ａ】
0003631462.tif 000003
【図２Ｂ】
0003631462.tif 000004
【図３】
0003631462.tif 000005
【図４Ａ】
0003631462.tif 000006
【図４Ｂ】
0003631462.tif 000007